(57)【要約】【課題】  携帯電話機に正確に画像または動画付きメールを配信する。【解決手段】  発信者はＰＣ端末１１を介してホームページサーバ１２により表示されている携帯電話機の通信サービス提供会社別のＨＴＭＬメール仕様に依存しないホームページ上の入力画面を操作し、相手先の携帯電話機に送信したい画像や動画を含むメールを作成する。作成されたメールはホームページサーバ１２により、その宛先のメールアドレスの情報より携帯電話機の通信サービス提供会社が判別され、その通信サービス提供会社の仕様に変換された後、メールサーバ１３から発信され、各携帯電話の通信サービス提供会社のメールサーバ１４を介して各携帯電話機１５に配信される。【選択図】図１
2008257667.tif 000002
【特許請求の範囲】
【請求項１】
インターネットを介して接続されたホームページを閲覧することができるパーソナル・コンピュータ端末（以下、ＰＣ端末という）から、インターネット上のホームページの携帯電話機の通信サービス提供会社別のＨＴＭＬメール仕様に依存しない入力画面を操作することにより、携帯電話機向けに画像もしくは動画付きメールを作成し、前記メールはメール送信先の携帯電話機の通信サービス提供会社をそのメールアドレスの情報から判断され、前記通信サービス提供会社別の仕様に自動的に変換され、発信され、通信サービス提供会社毎のメールサーバを介して、それぞれの携帯電話機に配信される構成としたことを特徴とするメール配信システム。
【請求項２】
インターネット上で操作される前記ホームページは、ホームページ全体の一部であり、前記一部を前記ＰＣ端末の一般的な利用者等が他のホームページにホームページ作成の高度な知識がなくても通常のＰＣ操作だけで自在に組み込むことができる請求項１記載のメール配信システム。
【発明の詳細な説明】
【技術分野】
【０００１】  本発明は、携帯電話機に画像や動画付きメールを配信するシステムに関するものである。
【背景技術】
【０００２】  近年、地域・年齢・性別を問わず電子メールの送受信は日常的に行われている。そのような中、発信者の自己表現として画像や動画付の所謂ＨＴＭＬメールを利用する人が増加してきている。また、インターネット上のホームページを介して電子メールを送信すること、所謂Ｗｅｂメールの利用も広く行われている（特許文献１）。【０００３】
【特許文献１】  特開平１１−２５０１５号公報
【発明の開示】
【発明が解決しようとする課題】
【０００４】  携帯電話機の通信サービス提供会社によって受信できる画像や動画ファイルの仕様や、ＨＴＭＬの記述方法は異なっており、異なる通信サービス提供会社の携帯電話機間でそのような画像や動画付の電子メールを交換した場合、場合によってはレイアウトが崩れ、画像や動画ファイルがメール自体に添付されずにメールサーバ上に残され、メール本文にはそのメールサーバ上にある画像や動画ファイルのＵＲＬが記載されるのみ、といった事象が発生し、正確な情報が伝達されないことで、発信者の自己表現を満足させることができないという課題があった。
【課題を解決するための手段】
【０００５】  上記課題を解決するための手段として、本発明のメール配信システムは、インターネットを介して接続されたホームページを閲覧することができるＰＣ端末から、インターネット上のホームページの携帯電話機の通信サービス提供会社別のＨＴＭＬメール仕様に依存しない入力画面を操作することにより、携帯電話機向けに画像もしくは動画付きメールを作成し、前記メールはメール送信先の携帯電話機の通信サービス提供会社をそのメールアドレスの情報から判断され、前記通信サービス提供会社別の仕様に自動的に変換され、発信され、通信サービス提供会社毎のメールサーバを介して、それぞれの携帯電話機に配信される構成としたことを特徴とする。【０００６】  さらに、インターネット上で操作される前記ホームページは、ホームページ全体の一部であり、前記一部を前記ＰＣ端末の一般の利用者等が他のホームページにホームページ作成の高度な知識がなくても通常のＰＣ操作だけで自在に組み込むことができる構成としたことを特徴とする。
【発明の効果】
【０００７】  このような構成により、発信者の意図した画像や動画付きのメールを携帯電話機の通信サービス提供会社の別に関わらず正確に携帯電話機に配信することができる。よって発信者は送信する相手先の携帯電話機の通信サービス提供会社別にメールの仕様を変える必要はなく、またそれを意識することから開放される。【０００８】  またメールに画像や動画ファイルが添付されるため、画像や動画ファイルを閲覧するために携帯電話機でメールサーバに別途接続する必要がなく、受信者に追加で通信費の負担を強いることもない。【０００９】  また、携帯電話機の通信サービス提供会社別のＨＴＭＬメール仕様に依存しないホームページ画面をメール入力画面とすることにより、メール配信サーバ内における携帯電話機の通信サービス提供会社別にメールを変換する処理を軽減し、通信サービス提供会社別のコンテンツを用意する必要もなくなり、結果的にメール配信システム提供側のコスト削減につながる。【００１０】  また、自己のホームページ上に本発明のメール配信システムの操作部を容易に組み込むことができ、ホームページの機能性向上やデザイン性向上をはかり、発信者の自己表現を高めることができる。【００１１】  また、ホームページ上に設置されたメール配信システムの操作部より、別のホームページへのリンクを組み込むことで、ホームページを訪れた人をその別のホームページへ誘導する効果があり、広告として利用する効果もある。
【発明を実施するための最良の形態】
【００１２】  本発明の実施の形態を説明する。図１は本発明のメール配信システムの概念図である。【００１３】  図１において、１１はインターネットを介して接続されたホームページを閲覧することができるＰＣ端末、１２は本発明のシステムを操作するためのホームページを表示し、そのデータ処理機能を含むインターネット上のホームページサーバ、１３はメールサーバ、１４は各携帯電話の通信サービス提供会社のメールサーバ、１５は携帯電話機を示している。【００１４】  発信者はＰＣ端末１１を介してホームページサーバ１２により表示されている携帯電話機の通信サービス提供会社別のＨＴＭＬメール仕様に依存しないホームページ上の入力画面を操作し、相手先の携帯電話機に送信したい画像や動画を含むメールを作成する。作成されたメールはその宛先のメールアドレスより携帯電話機の通信サービス提供会社が判別され、その通信サービス提供会社別の仕様に変換された後、ホームページサーバ１２より発信され、メールサーバ１３に一度送られ、各携帯電話の通信サービス提供会社のメールサーバ１４を経て、各携帯電話機１５に配信される。【００１５】  図２は、本発明のメール配信システムのホームページサーバを中心とした構成を説明するための図である。【００１６】  図２において、２１はホームページサーバ１２により表示されている携帯電話機の通信サービス提供会社別のＨＴＭＬメール仕様に依存しないホームページ上の入力画面、２２はホームページサーバ１２内の判別部、２３は変換部である。【００１７】  発信者によりＰＣ端末１１を介して入力画面２１で入力されたデータは判断部２２でメールアドレスのドメイン情報から送信先の携帯電話機の通信サービス提供会社を判別・特定し変換部．２３に送られ、その通信サービス提供会社の仕様に合わせてデータが変換される。データの変換は、文字コード、メール構成の順序、メールのヘッダー情報等を含み、また添付される画像もしくは動画の仕様の変換も必要に応じて実施される。その後、携帯電話の通信サービス提供会社別の仕様データが生成され、メールサーバ１３から各携帯電話の通信サービス提供会社のメールサーバ１４を通して、各携帯電話機１５にそのデータが届けられる。【００１８】  結果、発信者がＰＣ端末１１を通して入力し確認する入力画面２１の画面と、受信者が携帯電話機１５の画面で確認する画面とは同一のものとなる。【００１９】  よって発信者は自己の意図する画面構成のメールを、そのまま携帯電話を所持する受信者に伝達することができ、逆に受信者は携帯電話を通じて発信者の意図する画面構成のメールを受信できることで、正確に情報が伝達され、送信者、受信者双方の意思疎通が良好となる。【００２０】  また、発信者がＰＣ端末１１を介して操作するのが、携帯電話機の通信サービス提供会社別のＨＴＭＬメール仕様に依存しないホームページ画面とあらかじめしておくことにより、ホームページサーバ１２における携帯電話機の通信サービス提供会社別にメールを変換する処理を軽減することができる。【００２１】  また、入力画面２１に掲載されるコンテンツも携帯電話機の通信サービス提供会社別のものを準備する必要はなく、メール配信システム提供側のコス���削減につながるものである。【００２３】  なお、携帯電話機１５は携帯電話機に限られず、ＰＤＡといった他の情報端末機器であっても構わないことは云うまでもない。【００２４】  図３は、本発明のメール配信システムの操作部がホームページ上に設置された状態の例を示す図である。【００２５】  図３に示すように本発明のメール配信システムの操作部はホームページ上の空きスペースに設けることができる。このようにホームページ上の空きスペースにメール配信システムの操作部を設けるためには、本発明のメール配信システム運営側から提供されるタグをホームページのソースコードに貼り付けるだけの容易なものであり、特段高度なホームページ作成技術を持たない一般的な利用者によっても設置することが可能である。【００２６】  また、メール配信システムの操作部には、別のホームページへのリンクを組み込むこともできる。このことにより、ホームページを訪れた人を別のホームページへ誘導することも可能となり、広告として利用することもできる。
【産業上の利用可能性】
【００２７】  本発明は、携帯電話機に正確に画像または動画付きメールを配信できるシステムとして利用可能である。
【図面の簡単な説明】
【００２８】
【図１】本発明のメール配信システムの概念図
【図２】本発明のメール配信システムのホームページサーバを中心とした構成を説明するための図
【図３】本発明のメール配信システムの操作部がホームページ上に設置された状態の例を示す図
【符号の説明】
【００２９】１１  ＰＣ端末
１２  ホームページサーバ
１３  メールサーバ
１４  各携帯電話の通信サービス提供会社のメールサーバ
１５  携帯電話機
２１  入力画面
２２  判別部
２３  変換部
【図１】
2008257667.tif 000003
【図２】
2008257667.tif 000004
【図３】
2008257667.tif 000005